(57)【特許請求の範囲】
【請求項１】
表示画面と、
前記表示画面上に設けられ、タッチ範囲を検知可能なタッチパネルと、
前記表示画面にタッチ操作対象を表示する表示制御部と、
前記タッチパネルを介した前記タッチ操作対象に対するタッチ操作に応じて、当該タッチ操作対象に対応する処理を実行する処理実行部と、
前記タッチ操作対象のうち前記表示画面における予め定められた端部領域に表示されている特定タッチ操作対象に前記タッチ範囲が及んでいる場合に、当該特定タッチ操作対象に対する誤接触が行われたか否かを少なくとも当該タッチ範囲に基づいて判定可能な誤接触判定部と、
を備え、
前記誤接触判定部は、前記タッチ範囲において前記特定タッチ操作対象から予め定められた第２閾値以上離間した部分が存在する場合に、前記特定タッチ操作対象に対する誤接触が行われたと判定する操作入力装置。
【請求項２】
前記処理実行部は、前記誤接触判定部によって前記特定タッチ操作対象に対する誤接触が行われたと判定された場合には、前記特定タッチ操作対象に対応する処理を実行しない請求項１に記載の操作入力装置。
【請求項３】
前記誤接触判定部は、前記タッチ範囲の大きさが第１閾値以上である場合に、前記特定タッチ操作対象に対する誤接触が行われたと判定する請求項１又は請求項２に記載の操作入力装置。
【請求項４】
前記特定タッチ操作対象が、スクロールバーである、
請求項１〜３のいずれかに記載の操作入力装置。
【請求項５】
使用者が左親指で操作しているか右親指で操作しているかを判別する親指判別部をさらに備え、
前記誤接触判定部は、前記タッチ範囲と前記親指判別部の判別結果とに基づいて、前記特定タッチ操作対象に対する誤接触が行われたか否かを判定する請求項１〜４のいずれかに記載の操作入力装置。
【請求項６】
前記誤接触判定部は、前記特定タッチ操作対象が前記表示画面の右端部領域に表示されており、且つ前記親指判別部によって使用者が左親指で操作していると判定される場合には、前記特定タッチ操作対象に対する誤接触が行われたとは判定しない請求項５に記載の操作入力装置。
【請求項７】
前記誤接触判定部は、前記特定タッチ操作対象が前記表示画面の左端部領域に表示されており、且つ前記親指判別部によって使用者が右親指で操作していると判定される場合には、前記特定タッチ操作対象に対する誤接触が行われたとは判定しない請求項５に記載の操作入力装置。
【請求項８】
前記親指判別部は、前記表示画面における前記タッチ範囲の傾きに基づいて、使用者が左親指で操作しているか右親指で操作しているかを判別する請求項５〜７のいずれかに記載の操作入力装置。
【請求項９】
前記親指判別部は、前記表示画面における前記タッチ範囲の移動軌跡に基づいて、使用者が左親指で操作しているか右親指で操作しているかを判別する請求項５〜７のいずれかに記載の操作入力装置。
【請求項１０】
操作入力装置の表示画面にタッチ操作対象を表示する表示制御ステップと、
前記表示画面上に設けられ、タッチ範囲を検知可能なタッチパネルを介した前記タッチ操作対象に対するタッチ操作に応じて、当該タッチ操作対象に対応する処理を実行する処理実行ステップと、
前記タッチ操作対象のうち前記表示画面における予め定められた端部領域に表示されている特定タッチ操作対象に前記タッチ範囲が及んでいる場合に、当該特定タッチ操作対象に対する誤接触が行われたか否かを少なくとも当該タッチ範囲に基づいて判定する誤接触判定ステップと、
を備え、
前記誤接触判定ステップでは、前記タッチ範囲において前記特定タッチ操作対象から予め定められた第２閾値以上離間した部分が存在する場合に、前記特定タッチ操作対象に対する誤接触が行われたと判定される、操作入力方法。
【発明の詳細な説明】
【技術分野】
【０００１】
本発明は、表示画面とタッチパネルとを備える操作入力装置及びその操作入力方法に関する。
【背景技術】
【０００２】
表示画面と、当該表示画面上に設けられたタッチパネルとを備える操作入力装置には、使用者が操作入力装置を持っている手の親指を使ってタッチパネルを操作することが可能なものが存在する。
【０００３】
また、表示画面にスクロールバーが表示され、スクロールバーがタッチされることによって表示内容が変化するスクロールバー操作装置も知られている（例えば、特許文献１参照）。
【先行技術文献】
【特許文献】
【０００４】
【特許文献１】特開２００４−１３９３２１号公報
【発明の概要】
【発明が解決しようとする課題】
【０００５】
しかしながら、操作入力装置を持っている手の親指を使ってタッチパネルを操作する場合には、親指の指先だけでなく、より付け根側の部分までもがタッチパネルに接触してしまうことがある。このとき、表示画面の端部にスクロールバーが表示されている場合には、親指の指先以外の部分がスクロールバーに接触してしまい、使用者の意に反するスクロール処理が行われてしまうことになる。
【０００６】
本発明の目的は、使用者が操作入力装置を持っている手の親指でタッチパネルを操作する際の誤操作を抑制することが可能な操作入力装置及び操作入力方法を提供することにある。
【課題を解決するための手段】
【０００７】
本発明の一の局面に係る操作入力装置は、表示画面と、タッチパネルと、表示制御部と、処理実行部と、誤接触判定部と、を備える。前記タッチパネルは、前記表示画面上に設けられ、タッチ範囲を検知可能である。前記表示制御部は、前記表示画面にタッチ操作対象を表示する。前記処理実行部は、前記タッチパネルを介した前記タッチ操作対象に対するタッチ操作に応じて、当該タッチ操作対象に対応する処理を実行する。前記誤接触判定部は、前記タッチ操作対象のうち前記表示画面における予め定められた端部領域に表示されている特定タッチ操作対象に前記タッチ範囲が及んでいる場合に、当該特定タッチ操作対象に対する誤接触が行われたか否かを少なくとも当該タッチ範囲に基づいて判定可能である。
【０００８】
本発明の他の局面に係る操作入力方法は、表示制御ステップと、処理実行ステップと、誤接触判定ステップと、を備える。前記表示制御ステップでは、操作入力装置の表示画面にタッチ操作対象を表示する。前記処理実行ステップでは、前記表示画面上に設けられ、タッチ範囲を検知可能なタッチパネルを介した前記タッチ操作対象に対するタッチ操作に応じて、当該タッチ操作対象に対応する処理を実行する。前記誤接触判定ステップでは、前記タッチ操作対象のうち前記表示画面における予め定められた端部領域に表示されている特定タッチ操作対象に前記タッチ範囲が及んでいる場合に、当該特定タッチ操作対象に対する誤接触が行われたか否かを少なくとも当該タッチ範囲に基づいて判定する。
【発明の効果】
【０００９】
本発明によれば、使用者が操作入力装置を持っている手の親指でタッチパネルを操作する際の誤操作を抑制することが可能な操作入力装置及び操作入力方法が提供される。
【図面の簡単な説明】
【００１０】
【図１】図１は、操作入力装置の外観を示す図である。
【図２】図２は、第１実施形態に係る操作入力装置のシステム構成を示すブロック図である。
【図３】図３は、操作入力装置で表示されるタッチ操作対象の一例を示す図である。
【図４】図４は、操作入力装置で検知されるタッチ範囲の一例を示す図である。
【図５】図５は、操作入力装置で検知されるタッチ範囲の一例を示す図である。
【図６】図６は、操作入力装置で検知されるタッチ範囲の一例を示す図である。
【図７】図７は、第１実施形態に係る操作入力装置で実行される操作入力処理の手順の一例を示すフローチャートである。
【図８】図８は、操作入力装置で検知されるタッチ範囲の一例を示す図である。
【図９】図９は、第２実施形態に係る操作入力装置のシステム構成を示すブロック図である。
【図１０】図１０は、第２実施形態に係る操作入力装置で実行される操作入力処理の変形例を示すフローチャートである。
【図１１】図１１は、操作入力装置で検知されるタッチ範囲の一例を示す図である。
【図１２】図１２は、操作入力装置で検知されるタッチ範囲の移動軌跡の一例を示す図である。
【図１３】図１３は、操作入力装置で検知されるタッチ範囲の移動軌跡の一例を示す図である。
【図１４】図１４は、操作入力装置で表示されるタッチ操作対象の一例を示す図である。
【発明を実施するための形態】
【００１１】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１２】
図１及び図２に示すように、本発明の第１実施形態に係る操作入力装置１は、表示部１０、タッチパネル１１、記憶部１２、及び制御部１３などを備える。表示部１０は、例えば、液晶ディスプレーであり、ウェブページ又はメニュー画像などを表示する。
【００１３】
タッチパネル１１は、表示部１０の表示画面１０Ａ上に設けられており、使用者の指による操作を受け付ける。タッチパネル１１は、タッチ範囲（使用者の指が接触している範囲）を検知可能なタッチパネルであって、例えば、マトリクススイッチ方式のタッチパネルであってもよいし、マルチタッチを検知可能な抵抗膜方式又は静電容量方式のタッチパネルであってもよい。複数のタッチ位置を同時に検出することが可能なタッチパネルであれば、それらのタッチ位置に基づいてタッチ範囲を検知することが可能である。
【００１４】
操作入力装置１は、使用者が片手又は両手で持つことができ、且つ操作入力装置１を持っている手の親指を使ってタッチパネル１１を操作することが可能な手持ち型の情報処理装置である。操作入力装置１は、例えば、タブレットＰＣ、スマートフォン、電子ブックリーダー又は携帯情報端末などである。
【００１５】
記憶部１２は、ＥＥＰＲＯＭ（登録商標）などの不揮発性の記憶部である。記憶部１２には、制御部１３によって実行される各種の制御プログラム、及び表示画面１０Ａに表示されるスクロールバー又はアイコンの画像データなどが記憶される。
【００１６】
制御部１３は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００１７】
具体的に、制御部１３は、表示制御部１４、処理実行部１５及び誤接触判定部１６を含む。なお、制御部１３は、前記制御プログラムに従って各種の処理を実行することにより各処理部として機能する。また、制御部１３は、各処理部の一部又は複数の処理機能を実現する電子回路を備えるものであってもよい。
【００１８】
表示制御部１４は、通信部（図示省略）を通じてダウンロードされるウェブページのデータに基づいて表示画面１０Ａにウェブページを表示する。また、表示制御部１４は、記憶部１２又は前記ＲＯＭに記憶されている画像データに基づいて表示画面１０Ａに文書、初期画面、デスクトップ画面又はメニュー画面などを表示する。
【００１９】
表示制御部１４によって表示画面１０Ａに表示される画像には、タッチ操作対象が含まれることがある。タッチ操作対象は、使用者がタッチパネル１１を介してタッチすることによって操作することが可能なオブジェクトであって、例えば、ウェブページ又は文書などのスクロール可能な表示対象、スクロールバー、メニューボタン、アイコン、入力キーなどである。
【００２０】
処理実行部１５は、タッチパネル１１を介したタッチ操作対象に対するタッチ操作に応じて、当該タッチ操作対象に対応する処理を実行する。例えば、表示画面１０Ａに表示されるウェブページ上で使用者がスクロール操作を行うと、処理実行部１５は、当該スライド操作に連動するようにウェブページの表示範囲を変更する。また、表示画面１０Ａに表示されるスクロールバー上の任意の位置を使用者がタッチすると、処理実行部１５は、当該タッチされた位置に対応するウェブページの領域が表示画面１０Ａに表示されるように、ウェブページの表示範囲を変更する。また、特定のアプリケーションプログラムに関連付けられたアイコンを使用者がタップすると、処理実行部１５は、当該アプリケーションプログラムを実行する。
【００２１】
誤接触判定部１６は、タッチ操作対象のうち表示画面における予め定められた端部領域に表示されている特定タッチ操作対象（例えば、図３に示すスクロールバー３０）にタッチ範囲が及んでいる場合に、当該特定タッチ操作対象に対する誤接触が行われたか否かを少なくとも当該タッチ範囲に基づいて判定する。
【００２２】
次に、図３〜図７を参照しつつ、操作入力装置１の動作について説明する。ここでは、一例として、表示画面１０Ａにウェブページを表示する場合の操作入力装置１の動作について説明する。
【００２３】
図３において、表示画面１０Ａの所定領域に、ウェブページ２０が表示されている。ウェブページ２０のサイズが大きい場合には、図３に示すように、ウェブページ２０の一部分だけが表示される。表示制御部１４は、使用者によるスクロール操作を受け付けて、ウェブページ２０の表示範囲を任意に変更する。前記スクロール操作は、例えば、指をタッチパネル１１に接触させたままでタッチ位置を移動させるスライド操作、又はタッチパネル１１上で指をはじくフリック操作などである。使用者が表示画面１０Ａの上端方向（以下では、単に「上方向」と称す）へスクロール操作すると、それに応じて、ウェブページ２０の表示範囲はウェブページ２０の下端側へ移動する。逆に、使用者が表示画面１０Ａの下端方向（以下では、単に「下方向」と称す）へスクロール操作すると、それに応じて、ウェブページ２０の表示範囲はウェブページ２０の上端側へ移動する。ウェブページ２０は、タッチ操作対象の一例である。
【００２４】
図３において、表示画面１０Ａにおける右端部領域には、スクロールバー３０が表示されている。スクロールバー３０にはスライダー３０Ａが含まれており、スライダー３０Ａの位置及び大きさが、ウェブページ２０全体における現在の表示範囲を表している。スクロールバー３０上の任意の位置を使用者がタッチすると、当該タッチされた位置にスライダー３０Ａが移動するとともに、当該タッチされた位置に対応するウェブページの領域が表示画面１０Ａに表示される。使用者は、スライダー３０Ａを上下方向にドラッグすることによってウェブページ２０の表示範囲を変更することもできる。スクロールバー３０は、タッチ操作対象の一例である。また、スクロールバー３０は、タッチ操作対象のうち表示画面１０Ａにおける予め定められた端部領域に表示されている特定タッチ操作対象の一例である。
【００２５】
図４〜図６は、使用者が操作入力装置１を右手で持ちながら右親指でタッチパネル１１を操作しているときに、タッチパネル１１によって検知されるタッチ範囲の一例を示している。図４等における灰色の領域が、タッチパネル１１によって検知されるタッチ範囲を表している。
【００２６】
使用者がタッチパネル１１を操作するとき、通常は指先だけがタッチパネル１１に接触するようにしてタッチパネル１１を操作する。しかしながら、使用者が操作入力装置１を持っている手の親指を使ってタッチパネル１１を操作する場合には、親指の指先だけでなく、より付け根側の部分までもタッチパネル１１に接触してしまうことがある。例えば、使用者が、表示画面１０Ａにおける親指の付け根から遠い領域をタッチしようとすると、親指の指先以外の部分もタッチパネル１１に接触しやすい。また例えば、タッチパネル１１を操作していない場合でも、使用者が操作入力装置１をしっかりと持とうとしたときなどに、親指の指先以外の部分がタッチパネル１１に接触してしまうこともある。そうすると、親指の指先以外の部分が、表示画面１０Ａの端部領域に表示されているスクロールバー３０等の特定タッチ操作対象に接触してしまい、使用者の意に反したスクロール操作などの誤操作が行われてしまう。本実施形態の操作入力装置１は、このような誤操作を抑制することができる仕組みを備えている。
【００２７】
本実施形態の操作入力装置１では、タッチパネル１１によって検知されるタッチ範囲に基づいて、スクロールバー３０等の特定タッチ操作対象に対する誤接触が行われたか否かが判定される。具体的には、誤接触判定部１６は、スクロールバー３０がタッチされたときに、図４に示すようにタッチ範囲の大きさが予め定められた第１閾値未満であり、且つタッチ範囲においてスクロールバー３０から予め定められた第２閾値Ｔ２以上離間した部分が存在しない場合は、親指の指先だけがタッチパネル１１に接触している正常なタッチ操作が行われているとみなし、当該スクロールバー３０に対するタッチ操作は誤接触ではないと判定する。
【００２８】
一方、図５に示すようにタッチ範囲の大きさが第１閾値以上である場合は、誤接触判定部１６は、親指の指先以外の部分もタッチパネル１１に接触している異常なタッチ操作が行われているとみなし、当該スクロールバー３０に対する誤接触が行われたと判定する。また、図６に示すようにタッチ範囲においてスクロールバー３０から第２閾値Ｔ２以上離間した部分が存在する場合も、誤接触判定部１６は、親指の指先以外の部分もタッチパネル１１に接触している異常なタッチ操作が行われているとみなし、当該スクロールバー３０に対する誤接触が行われたと判定する。
【００２９】
なお、タッチ範囲の大きさは、タッチパネル１１によって検出される複数の接触位置の個数を数えることによって算出されてもよいし、タッチパネル１１によって検出される複数の接触位置同士を直線で結ぶことによって囲まれた領域の面積を計算することによって算出されてもよい。第１閾値は、固定値であってもよいし、使用者の親指の指先の大きさに応じて適宜に変更可能であってもよい。第２閾値も、固定値であってもよいし、変更可能であってもよい。
【００３０】
本実施形態の操作入力装置１では、処理実行部１５は、誤接触判定部１６によってスクロールバー３０等の特定タッチ操作対象に対する誤接触が行われたと判定された場合には、特定タッチ操作対象に対応する処理を実行しない。これにより、特定タッチ操作対象への誤接触による使用者の意に反した誤操作が抑制される。
【００３１】
以下、図７を参照しつつ、制御部１３によって実行される処理の手順の一例について説明する。ここで、ステップＳ１、Ｓ２・・・は、制御部１３により実行される処理手順（ステップ）の番号を表している。なお、図７に示される処理は、例えば、使用者によってウェブページの閲覧開始指示が入力されたことに応じて開始され、使用者によってウェブページの閲覧終了指示が入力されたことに応じて終了されてもよい。
【００３２】
＜ステップＳ１＞
まず、ステップＳ１において、制御部１３は、ウェブページ２０及びスクロールバー３０等のタッチ操作対象を表示画面１０Ａに表示する。
【００３３】
＜ステップＳ２＞
ステップＳ２において、制御部１３は、タッチパネル１１からの信号に基づいて、タッチ範囲を取得する。
【００３４】
＜ステップＳ３＞
ステップＳ３において、制御部１３は、ステップＳ２で取得されたタッチ範囲に基づいて、表示画面１０Ａにおける予め定められた端部領域に表示されているスクロールバー３０等の特定タッチ操作対象がタッチされたか否か（すなわち、タッチ範囲が特定タッチ操作対象に及んでいるか否か）を判断する。そして、特定タッチ操作対象がタッチされたと判断されると（Ｓ３：Ｙｅｓ）、処理がステップＳ４に移行する。一方、特定タッチ操作対象がタッチされていないと判断されると（Ｓ３：Ｎｏ）、処理がステップＳ２に戻る。なお、特定タッチ操作対象以外のタッチ操作対象がタッチされた場合は、タッチされたタッチ操作対象に応じた処理が実行されるが、図７に示すフローチャートにおいては、その場合の処理については省略されている。
【００３５】
＜ステップＳ４＞
ステップＳ４において、制御部１３は、ステップＳ２で取得されたタッチ範囲の大きさが第１閾値以上であるか否かを判断する。そして、タッチ範囲の大きさが第１閾値以上であると判断されると（Ｓ４：Ｙｅｓ）、処理がステップＳ７に移行する。一方、タッチ範囲の大きさが第１閾値未満であると判断されると（Ｓ４：Ｎｏ）、処理がステップＳ５に移行する。
【００３６】
＜ステップＳ５＞
ステップＳ５において、制御部１３は、ステップＳ２で取得されたタッチ範囲において、特定タッチ操作対象から第２閾値（図４〜図６に示すＴ２）以上離間した部分が存在するか否かを判断する。そして、タッチ範囲において、特定タッチ操作対象から第２閾値以上離間した部分が存在すると判断されると（Ｓ５：Ｙｅｓ）、処理がステップＳ７に移行する。一方、タッチ範囲において、特定タッチ操作対象から第２閾値以上離間した部分が存在しないと判断されると（Ｓ５：Ｎｏ）、処理がステップＳ６に移行する。
【００３７】
＜ステップＳ６＞
ステップＳ６において、制御部１３は、タッチされた特定タッチ操作対象に対応する処理（例えば、ウェブページ２０のスクロール処理）を実行する。そして、処理がステップＳ２に戻る。
【００３８】
＜ステップＳ７＞
ステップＳ７において、制御部１３は、特定タッチ操作対象に対する誤接触が行われたと判断する。そして、タッチされた特定タッチ操作対象に対応する処理を実行することなく、処理がステップＳ２に戻る。これにより、特定タッチ操作対象への誤接触による使用者の意に反した誤操作が抑制される。なお、ステップＳ７において、制御部１３は、例えば「指先だけでタッチして下さい」というような注意メッセージを表示画面１０Ａに表示して、使用者が正常なタッチ操作を行うように促すようにしてもよい。
【００３９】
なお、以上のステップＳ１の処理（表示制御ステップ）は、制御部１３の表示制御部１４によって実行される。また、ステップＳ２，Ｓ６の処理（処理実行ステップ）は、制御部１３の処理実行部１５によって実行される。また、ステップＳ３〜Ｓ５，Ｓ７の処理（誤接触判定ステップ）は、制御部１３の誤接触判定部１６によって実行される。
【００４０】
次に、図８〜図１３を参照しつつ、本発明の第２実施形態に係る操作入力装置１について説明する。
【００４１】
図４〜図６では、使用者が操作入力装置１を右手で持ちながら右親指で操作しているが、図８に示すように、使用者が操作入力装置１を左手で持ちながら左親指で操作することもある。この場合には、使用者がスクロールバー３０を操作しようとすると、スクロールバー３０の位置が左親指の付け根から遠いため、図８に示すように、左親指の指先以外の部分もタッチパネル１１に接触してしまうおそれがある。しかしながら、この場合は、図５や図６に示す状況とは異なり、使用者は親指の指先でスクロールバー３０にタッチしている。親指の指先でスクロールバー３０にタッチしているということは、使用者がスクロールバー３０を意図的にタッチしていることを意味する。よって、この場合は、スクロールバー３０への誤接触が行われたとは判定しない方が好ましい。
【００４２】
第２実施形態に係る操作入力装置１では、タッチ範囲に加えて、使用者が左親指で操作しているのか右親指で操作しているのかも考慮して、特定タッチ操作対象に対する誤接触が行われたか否かが判定される。
【００４３】
図９に示すように、第２実施形態に係る操作入力装置１の制御部１３は、表示制御部１４、処理実行部１５及び誤接触判定部１６に加えて、親指判別部１７を含む。親指判別部１７は、使用者が左親指で操作しているか右親指で操作しているかを判別する。そして、誤接触判定部１６は、タッチパネル１１によって検知されるタッチ範囲と、親指判別部１７の判別結果とに基づいて、特定タッチ操作対象に対する誤接触が行われたか否かを判定する。
【００４４】
以下、図１０を参照しつつ、第２実施形態に係る操作入力装置１の制御部１３によって実行される処理の手順の一例について説明する。なお、図１０において、図７に示した処理手順と同一の処理手順については、同一の番号を付して、その説明を省略する。
【００４５】
＜ステップＳ１１＞
ステップＳ１１において、制御部１３は、スクロールバー３０等の特定タッチ操作対象にタッチした指が、右親指であるか左親指であるかを判別する。なお、特定タッチ操作対象にタッチした指が右親指であるか左親指であるかを判別する方法としては、種々の方法が考えられる。
【００４６】
例えば、親指判別部１７は、表示画面１０Ａにおけるタッチ範囲の傾きに基づいて、使用者が左親指で操作しているか右親指で操作しているかを判別してもよい。具体的には、タッチ範囲の傾きが図８に示すように右上がりになっている場合に、親指判別部１７は、使用者が左親指で操作していると判定してもよい。一方、タッチ範囲の傾きが図１１に示すように右下がりになっている場合に、親指判別部１７は、使用者が右親指で操作していると判定してもよい。
【００４７】
他の例として、親指判別部１７は、表示画面１０Ａにおけるタッチ範囲の移動軌跡に基づいて、使用者が左親指で操作しているか右親指で操作しているかを判別してもよい。具体的には、直近のスライド操作時におけるタッチ範囲の移動軌跡が図１２に示すように左方向に膨らんだ円弧状であった場合に、親指判別部１７は、使用者が右親指で操作していると判定してもよい。一方、直近のスライド操作時におけるタッチ範囲の移動軌跡が図１３に示すように右方向に膨らんだ円弧状であった場合に、親指判別部１７は、使用者が左親指で操作していると判定してもよい。
【００４８】
さらに他の例として、親指判別部１７は、使用者によって事前に入力された設定情報に基づいて、使用者が左親指で操作しているか右親指で操作しているかを判別してもよい。具体的には、使用者によって事前に「右親指操作モード」が選択されている場合に、親指判別部１７は、使用者が右親指で操作していると判定してもよい。一方、使用者によって事前に「左親指操作モード」が選択されている場合に、親指判別部１７は、使用者が左親指で操作していると判定してもよい。
【００４９】
＜ステップＳ１２＞
ステップＳ１２において、制御部１３は、タッチされた特定タッチ操作対象の位置が表示画面１０Ａの右端部領域であり、且つ、ステップＳ１１の判別結果が左親指であるか否かを判断する。そして、ステップＳ１２の判断結果が肯定であれば（Ｓ１２：Ｙｅｓ）、当該特定タッチ操作対象へのタッチ操作は使用者による意図的なタッチ操作であるとみなされて、処理がステップＳ６に移行する。一方、ステップＳ１２の判断結果が否定であれば（Ｓ１２：Ｎｏ）、処理がステップＳ１３に移行する。
【００５０】
＜ステップＳ１３＞
ステップＳ１３において、制御部１３は、タッチされた特定タッチ操作対象の位置が表示画面１０Ａの左端部領域であり、且つ、ステップＳ１１の判別結果が右親指であるか否かを判断する。そして、ステップＳ１３の判断結果が肯定であれば（Ｓ１３：Ｙｅｓ）、当該特定タッチ操作対象へのタッチ操作は使用者による意図的なタッチ操作であるとみなされて、処理がステップＳ６に移行する。一方、ステップＳ１３の判断結果が否定であれば（Ｓ１３：Ｎｏ）、処理がステップＳ４に移行する。
【００５１】
なお、以上のステップＳ１１の処理（親指判別ステップ）は、制御部１３の親指判別部１７によって実行される。また、ステップＳ１２，Ｓ１３の処理（誤接触判定ステップ）は、制御部１３の誤接触判定部１６によって実行される。
【００５２】
なお、上記第１実施形態及び第２実施形態では、特定タッチ操作対象がスクロールバー３０である例を示したが、本発明はこれに限定されない。例えば、図１４に示すように、表示画面１０Ａに複数のアイコン４０及び複数のメニューボタン５０が表示されている場合に、これらの複数のアイコン４０及び複数のメニューボタン５０のうち、表示画面１０Ａの端部領域に表示されている一部のアイコン４０又は一部のメニューボタン５０が、特定タッチ操作対象として扱われてもよい。これにより、表示画面１０Ａの端部領域に表示されているアイコン４０又はメニューボタン５０への誤接触に基づく誤操作を抑制することができる。
【符号の説明】
【００５３】
１  操作入力装置
１０  表示部
１０Ａ  表示画面
１１  タッチパネル
１２  記憶部
１３  制御部
１４  表示制御部
１５  処理実行部
１６  誤接触判定部
１７  親指判別部
２０  ウェブページ
３０  スクロールバー
３０Ａ  スライダー
４０  アイコン
５０  メニューボタン
【図１】
0006380331.tif 000002
【図２】
0006380331.tif 000003
【図３】
0006380331.tif 000004
【図４】
0006380331.tif 000005
【図５】
0006380331.tif 000006
【図６】
0006380331.tif 000007
【図７】
0006380331.tif 000008
【図８】
0006380331.tif 000009
【図９】
0006380331.tif 000010
【図１０】
0006380331.tif 000011
【図１１】
0006380331.tif 000012
【図１２】
0006380331.tif 000013
【図１３】
0006380331.tif 000014
【図１４】
0006380331.tif 000015